(57)【要約】【課題】  比重差が大きな物が混ざった被処理物や、篩い分けが困難な被処理物を効率良く篩い分けることができる振動デッキを提供すること。【解決手段】  装置本体に固定する固定部２と、この固定部２から被処理物の流れ方向Ｆに延びる共振ばねロッド３と、この共振ばねロッド３の端部で共振ばねロッド３の振幅を調整する共振ウエイト４と、この共振ウエイト４の端部に篩網６を取付ける網係止部材５１，５４とを備えさせる。【選択図】  図１
2008284468.tif 000002
【特許請求の範囲】
【請求項１】
被処理物を所定の大きさで篩い分けるための振動デッキであって、
装置本体に固定する固定部と、
該固定部から被処理物の流れ方向に延びる共振部と、
該共振部の端部で共振部の振幅を調整する重量部と、
該共振部の端部に篩網を取付ける網取付部とを備えたことを特徴とする振動デッキ。
【請求項２】
前記重量部を、重量調整可能に構成した請求項１に記載の振動デッキ。
【請求項３】
前記共振部を棒状の部材で形成し、該共振部のばね常数を調整可能に構成した請求項１又は請求項２に記載の振動デッキ。
【請求項４】
前記共振部を、上下方向の剛性が左右方向の剛性よりも小さくなるように構成した請求項３に記載の振動デッキ。
【請求項５】
前記共振部を、前記固定部から被処理物の流れ方向上流側と下流側とに向けて延設した請求項１〜４のいずれか１項に記載の振動デッキ。
【請求項６】
前記請求項１〜５のいずれか１項に記載の共振部を被処理物の流れ方向に少なくとも２つ並設し、
下流側の篩網の上流側網取付部を上流側振動デッキの共振部の下流側端部に取付けた振動デッキ。
【請求項７】
請求項１〜６のいずれか１項に記載の振動デッキを備えた篩分装置であって、
該振動デッキを装置本体の被処理物の流れ方向に複数個配置し、被処理物の流れ方向下流に位置する振動デッキの上流側端部を上流に位置する振動デッキの下流側端部よりも下側に配置したことを特徴とする篩分装置。
【請求項８】
前記振動デッキを、前記装置本体の上下位置に複数段で配設した請求項７に記載の篩分装置。
【請求項９】
前記被処理物の流れ方向上流側に位置する振動デッキの振幅を、下流側に位置する振動デッキの振幅よりも大きく設定した請求項７又は請求項８に記載の篩分装置。
【請求項１０】
前記複数段で配置した振動デッキの上段に位置する振動デッキの振幅を、下段に位置する振動デッキの振幅よりも大きく設定した請求項７〜９のいずれか１項に記載の篩分装置。
【発明の詳細な説明】
【技術分野】
【０００１】
本発明は、被処理物を篩い分けるための振動デッキと、それを備えた篩分装置に関するものである。
【背景技術】
【０００２】
従来、産業廃棄物や骨材、石炭等、種々の被処理物を所定の大きさ毎に分けるために篩分装置が利用されている。この篩分装置は、一般的に、所定の大きさの開口を有する篩網を傾斜させたり水平に設け、この篩網を振動させることにより、篩網上を流れる被処理物を、篩網の開口（目開き）よりも大きい物は網上から排出し、小さい物は網下へ落として篩い分けている。
【０００３】
このような篩分装置は、篩網を装置本体に固定し、この装置本体と一体的に全ての篩網を同一振幅で一律に振動させ、この篩網上を送る被処理物を前記したように篩い分けている。篩網としては、一般的に、金属の線材を織った織網や、鋼板のほぼ全面に所定の大きさの穴を打抜いた打抜網等が用いられているが、使用条件によってはウレタン材料を用いたウレタン網も用いられている（この明細書及び特許請求の範囲の書類中では、これらの網を総称して「篩網」という）。
【０００４】
前記篩分装置として、例えば、篩網の中間部をばね等の伸縮可能なサポーターによって上方か下方から支持することにより、使用時に篩網の平面性を保ちながら中間部を弾力的に振動させるようにしたものがある（例えば、特許文献１参照）。
【０００５】
また、近年、産業廃棄物のリサイクルが盛んに行われているため、その廃棄物を篩い分けるための篩分装置等も多く存在する。例えば、土砂と産業廃棄物とを分別するための篩装置の篩として、ラバー製板体に多数の開口部を形成してデッキシートを構成し、そのデッキシートを処理物進行方向の前後で固定し、このデッキシートを振動させることにより処理物の詰まりを効果的に防止しようとしたものがある（例えば、特許文献２参照）。
【０００６】
なお、目詰まり防止のために、合成樹脂製網本体の下面に合成樹脂製緊張ロープを溶着し、この合成樹脂製緊張ロープを固定して網本体を振動させるようにしたものもある（例えば、特許文献３参照）。
【特許文献１】特開２００１−６２４００号公報
【特許文献２】特開平８−２９９９０６号公報
【特許文献３】特開２００２−１２２０号公報
【発明の開示】
【発明が解決しようとする課題】
【０００７】
ところで、前記リサイクルされる産業廃棄物として、例えば、建築廃材のようにプラスチックや木材、コンクリート片等、比重が大きく異なる材質の物が混ざった廃棄物がある。そして、このような廃棄物も、それぞれの材料に分けてリサイクルしようとする動きが業界の流れとしてある。
【０００８】
しかしながら、このような廃棄物は、破砕機で破砕したとしても、比重の大きいコンクリート片等は容易に破砕できるが、比重の小さい木材やプラスチック片等は容易に破砕することが難しく、プラスチック片にコンクリート片が付着した状態のままで破砕機から排出される廃棄物もある。そのため、このような被処理物は、破砕後に篩い分けによって材質毎に分けることができず、また、磁性金属と非磁性体のように磁選機等で分けることもできないので、リサイクルを困難にしている。
【０００９】
一方、粘土質の被処理物のように篩網に詰まりやすい被処理物の場合、前記特許文献のように篩網を振動させればある程度抑止することができるが、被処理物には種々のものがあると共に、水分量等の条件によって付着の度合が大きく異なるため、全ての篩網を同一振幅で一律に振動させる篩網では被処理物の付着を抑止するのは難しい。
【００１０】
そこで、本発明は、比重差が大きな物が混ざった被処理物や、篩い分けが困難な被処理物を効率良く篩い分けることができる振動デッキと、それを備えた篩分装置を提供することを目的とする。
【課題を解決するための手段】
【００１１】
前記目的を達成するために、本発明の振動デッキは、被処理物を所定の大きさで篩い分けるための振動デッキであって、装置本体に固定する固定部と、該固定部から被処理物の流れ方向に延びる共振部と、該共振部の端部で共振部の振幅を調整する重量部と、該共振部の端部に篩網を取付ける網取付部とを備えている。これにより、装置本体に固定した固定部から延びる共振部を、この共振部のばね常数と重量部の重量とによって所定の共振運動をさせることができるので、この共振部の端部に取付けた篩網を所定の振幅で振動させて軽い被処理物や詰まり易い被処理物等を効率良く篩い分けることができる。
【００１２】
また、前記重量部を、重量調整可能に構成してもよい。これにより、重量部の重量を調整して共振部の振幅を調整することができる。
【００１３】
さらに、前記共振部を棒状の部材で形成し、該共振部のばね常数を調整可能に構成してもよい。共振部のばね常数を調整する方法としては、例えば、断面形状や本数、材質等によって調整できる。これにより、共振部自体の調整で共振部の振幅を調整することができる。
【００１４】
また、前記共振部を、上下方向の剛性が左右方向の剛性よりも小さくなるように構成してもよい。これにより、固定部から被処理物の流れ方向に延びる共振部の左右方向振動を抑えて確実に上下方向に振動させることができる。
【００１５】
さらに、前記共振部を、前記固定部から被処理物の流れ方向上流側と下流側とに向けて延設してもよい。これにより、固定部から上流側と下流側とに延設された共振部を一緒に振動させることができ、篩網全体をより大きく振動させることができる。
【００１６】
また、前記いずれかの共振部を被処理物の流れ方向に少なくとも２つ並設し、下流側の篩網の上流側網取付部を上流側振動デッキの共振部の下流側端部に取付けてもよい。これにより、下流側の篩網の上流側端部を上流側の共振部によって振動させるので、下流側の篩網をより大きな振幅で振動させることができ、被処理物に応じてより目詰まりを抑止した篩い分けができる。
【００１７】
一方、本発明の篩分装置は、前記いずれかの振動デッキを備えた篩分装置であって、該振動デッキを装置本体の被処理物の流れ方向に複数個配置し、被処理物の流れ方向下流に位置する振動デッキの上流側端部を上流に位置する振動デッキの下流側端部よりも下側に配置している。これにより、階段状に配置された複数の振動デッキに設けられた篩網で被処理物を効率良く篩い分けることができる。
【００１８】
また、前記振動デッキを、前記装置本体の上下位置に複数段で配設してもよい。これにより、装置本体の上下位置で複数段の振動デッキを共振させて、被処理物の目詰まり等を抑止しながら複数の粒度に安定して篩い分けることができる。
【００１９】
さらに、前記被処理物の流れ方向上流側に位置する振動デッキの振幅を、下流側に位置する振動デッキの振幅よりも大きく設定してもよい。これにより、装置本体の上流側において大きな振幅で大きな被処理物を篩い分け、下流側ではその篩い分けられた被処理物と篩網との接触回数を増やして、より確実な篩い分けができる。
【００２０】
また、前記複数段で配置した振動デッキの上段に位置する振動デッキの振幅を、下段に位置する振動デッキの振幅よりも大きく設定してもよい。これにより、装置本体の上段において大きな振幅で大きな被処理物を篩い分け、下段においては小さな振幅で被処理物と篩網との接触回数を増やして被処理物を篩い分けることが、より安定してできる。
【発明の効果】
【００２１】
本発明は、以上説明したような手段により、篩網を共振部の共振によって大きく振動させることができるので、比重差が大きな物が混ざった被処理物や目詰まりしやすい被処理物を効率良く篩い分けることが可能となる。
【発明を実施するための最良の形態】
【００２２】
以下、本発明の一実施の形態を図面に基づいて説明する。図１は、本発明の第１実施の形態に係る振動デッキの平面図であり、図２は、図１に示す振動デッキのII−II断面図、図３は、図１に示す振動デッキのIII−III断面図、図４Ａは、図１に示す振動デッキのIV−IV断面図、図４Ｂは、図４Ａに示すIV−IV断面図の他の例を示す断面図である。図１，２に示す左から右に向いた矢印Ｆが被処理物の流れ方向を示しており、この明細書及び特許請求の範囲の書類中では、この被処理物の流れ方向Ｆの上流側（左側）を単に「上流側」、下流側（右側）を単に「下流側」という。
【００２３】
図１，２に示すように、この実施の形態の振動デッキ１は、後述する装置本体７３（図２では連結部材７１を示している）に取付けるために幅方向に延びる固定部２と、この固定部２の上部に設けられて被処理物の流れ方向に延びる共振部たる共振ばねロッド３と、この共振ばねロッド３の端部に設けられた重量部たる共振ウエイト４とを備えている。
【００２４】
固定部２は、装置本体７３の幅方向に延びる平板状に形成され、装置本体７３側にボルト２１で固定するための取付穴２２が複数個設けられている。この固定部２の上面には、前記共振ばねロッド３の先端を固定するための取付ベース２３が固定されている。この例では２個の取付ベース２３が設けられており、この取付ベース２３には被処理物の流れ方向に貫通穴２４が設けられている。この実施の形態の取付ベース２３は、共振ばねロッド３の上流側端部を保持するためのものであり、貫通穴２４の中間部には段部２５が形成されている。前記共振ばねロッド３の上流側端部には段部３３が形成されており、共振ばねロッド３を取付ベース２３の下流側から貫通穴２４に挿入して段部３３を段部２５に係止し、取付ベース２３の上流側からナット３１を螺合させることにより固定されている。取付ベース２３の上流側には、固定部２とほぼ同じ幅寸法の網取付部５の一方である上流側網係止部材５１が設けられている。この上流側網係止部材５１には、上流側に向けて屈曲した網係止爪５２が形成されている。なお、共振ばねロッド３と取付ベース２３との係止方法は、この例に限定されるものではない。
【００２５】
前記共振ばねロッド３は棒状に形成されており、この共振ばねロッド３の下流側端部にも段部３３が形成されており、この下流側端部に前記重量部たる共振ウエイト４が取付けられている。共振ウエイト４は、装置本体７３の幅方向に延びる板状の部材であり、この共振ウエイト４には共振ばねロッド３の位置に貫通穴４１が設けられている。共振ウエイト４は、この貫通穴４１を共振ばねロッド３の先端に挿入して前記段部３３で係止し、共振ばねロッド３の先端にナット３２を螺合することにより共振ばねロッド３に取付けられている。この例では、重量（板厚）の異なる複数枚の板材で共振ウエイト４が構成されている。この共振ウエイト４は、１つの共振ウエイト４でもよい。また、この例では、２本の共振ばねロッド３を設けているが、装置本体７３の幅寸法や共振ウエイト４の重量等に応じて３本以上の共振ばねロッド３を設けてもよい。共振ばねロッド３の本数は、共振させる条件に応じて設定すればよい。
【００２６】
また、共振ばねロッド３の下流側端部における所定位置には、網取付部の他方である前記上流側網係止部材５１とほぼ同じ幅寸法の下流側網係止部材５４が設けられている。この下流側網係止部材５４は、共振ばねロッド３の位置に設けられた貫通穴５５を共振ばねロッド３に挿入した状態で設けられている。これにより、下流側網係止部材５４は共振ばねロッド３の軸方向に移動可能となっている。図３に示すように、この下流側網係止部材５４は、共振ウエイト４に緊張ボルト５６で取付けられている。緊張ボルト５６は、下流側網係止部材５４に設けられた角穴５８に基部が係止された状態で挿入され、この緊張ボルト５６で下流側網係止部材５４を下流側に向けて移動させるようにしている。下流側網係止部材５４には、下流側に向けて屈曲した網係止爪５７が形成されている。
【００２７】
そして、図２に示すように、この下流側網係止部材５４と前記上流側網係止部材５１との間に篩網６が取付けられている。この篩網６は、上流側端部と下流側端部とに取付フック６１が設けられており、これらの取付フック６１を前記網係止爪５２，５７に係止することにより取付けられている。篩網６としては、金属製の織網、打抜網、ウレタン網等を用いることができる。特にウレタン網は、共振ばねロッド３を共振させた時に二次振動が起こりやすいので好ましい。図３に示すように、篩網６は、前記緊張ボルト５６を締付けて下流側網係止部材５４を共振ウエイト４側（下流側）に引張ることにより所定の張力で取付けられている。
【００２８】
図４Ａに示すように、前記共振ばねロッド３の断面形状としては、例えば、丸棒状のものでもよいが、丸棒の上下を切除して幅方向の寸法に比べて上下方向の寸法が小さくなるようにしてもよい。これにより、共振ばねロッド３の横方向の剛性を上下方向の剛性よりも大きくして、共振ばねロッド３の横方向振動を抑えて上下方向に安定して振動するようにできる。この共振ばねロッド３の断面形状としては、他に図４Ｂに示すような幅方向に広い板状であってもよい。このような形状にすることにより、振動方向の定まらない加振源の篩分装置に採用したとしても、安定して振動させることができる。振動方向が定まった篩分装置であれば、丸棒状のものでもよく、共振ばねロッド３の断面形状は、これらの例に限定されるものではない。
【００２９】
図５は、図２に示す振動デッキの共振状態を模式的に示す側面図である。前記図２に示すように、取付ベース２３が固定された状態で装置本体７３を振動させると、共振ばねロッド３が共振して先端の共振ウエイト４が大きく上下方向に振動させる。この共振ウエイト４が大きく振動すると、共振ばねロッド３の上流側と下流側とに係止されている篩網６も大きく振動する。この振動により、篩網６の中間部では二次振動も起こる。
【００３０】
しかも、外部からの加振力により共振させて所定の振幅で振動させるので、加振力を調整することにより任意に振幅を調整することができる。この時、篩網６にウレタン網を採用した場合、共振ばねロッド３の共振による大きな上下振動に追随してウレタン網も大きく二次振動するので、被処理物が開口に詰まるのを効果的に抑止することができる。
【００３１】
図６は、本発明の第２実施の形態に係る振動デッキの断面図であり、図７は、図６に示す振動デッキの共振状態を模式的に示す側面図である。この第２実施の形態に係る振動デッキ１０１は、少なくとも２段に共振ばねロッド３を設ける場合に適用される。なお、前記第１実施の形態と同一の構成には同一符号を付して、その詳細な説明は省略する。
【００３２】
図６に示すように、この例では、上流側と下流側との２つからなる振動デッキ１０１を示しており、上流側に位置する共振ばねロッド３の下流側端部に、下流側の篩網６の上流側端部を取付ける上流側網係止部材５１が設けられている。この上流側網係止部材５１は、上流側の共振ウエイト４の下流側に設けられており、この共振ウエイト４の上流側には上流側の篩網６を取付ける下流側網係止部材５４が設けられている。すなわち、下流側の篩機６を取付けるための前記上流側網係止部材５１が、上流側の共振ウエイト４の下流側にナット３２で上流側の共振ばねロッド３に固定されている。
【００３３】
一方、下流側に位置する共振ばねロッド３の上流側端部は、取付ベース２３に設けられた貫通穴２４に挿入されてナット３１で固定されている。この共振ばねロッド３の下流側端部には、前記共振ウエイト４がナット３１で固定され、この共振ウエイト４の上流側に下流側網係止部材５４が設けられている。そして、下段の篩網６の上流側端部が、上段の共振ばねロッド３の下流側に設けられた上流側網係止部材５１に取付けられ、下流側端部が下流側網係止部材５４に取付けられている。これにより、下流側の篩網６は、上流側端部が上流側の共振ばねロッド３に支持され、下流側は下流側の共振ばねロッド３に支持された状態となる。
【００３４】
図７に示すように、この実施の形態の振動デッキ１０１によれば、取付ベース２３が固定された状態で、上流側の共振ばねロッド３と下流側の共振ばねロッド３とが共振して振動すると、下流側の篩網６は上流側端部が上流側の共振ばねロッド３の下流側端部の共振によって大きく上下動するので、下流側の篩網６をより大きな振幅で振動させることができる。したがって、目詰まりし易い被処理物の篩い分けに適している。
【００３５】
図８は、本発明の第３実施の形態に係る振動デッキの断面図であり、図９は、図８に示す振動デッキの共振状態を模式的に示す側面図である。なお、前記第１実施の形態と同一の構成には同一符号を付して、その詳細な説明は省略する。
【００３６】
図８に示すように、この第３実施の形態に係る振動デッキ１０２は、固定部２に設けられた取付ベース２３から上流側と下流側とに共振ばねロッド３５，３６が設けられている。この実施の形態では、取付ベース２３から上流側と下流側とにほぼ同じ長さの上流側共振ばねロッド３５と下流側共振ばねロッド３６とが設けられている。下流側共振ばねロッド３６は、上流側端部が取付ベース２３の下流側から貫通穴２４に挿入され、取付ベース２３の上流側で上流側共振ばねロッド３５の下流側端部とともにナット３１で固定されている。
【００３７】
また、上流側共振ばねロッド３５の上流側端部と下流側共振ばねロッド３６の下流側端部とにはそれぞれ段部３３が形成されており、これらの端部に重量部たる共振ウエイト４がそれぞれ取付けられている。これらの共振ウエイト４は、前記したようにナット３２で共振ばねロッド３５，３６に固定されている。上流側共振ばねロッド３５には、共振ウエイト４の下流側に上流側網係止部材５１（図示する上流側網係止部材５１は、下流側網係止部材５４と同一部材を採用）が設けられ、下流側共振ばねロッド３６には、共振ウエイト４の上流側に下流側網係止部材５４が設けられている。これらの網係止部材５１，５４は、共振ばねロッド３５，３６の位置に設けられた貫通穴５５を共振ばねロッド３５，３６に挿入した状態で設けられており、共振ばねロッド３５，３６の軸方向に移動可能となっている。網係止部材５１，５４は、前記図３に示すように、共振ウエイト４に緊張ボルト５６で取付けられている。
【００３８】
そして、上流側網係止部材５１に形成された網係止爪５２と下流側網係止部材５４に形成された網係止爪５７とに篩網６が取付けられており、前記緊張ボルト５６によって所定の張力で取付けられている。
【００３９】
図９に示すように、この実施の形態の振動デッキ１０２によれば、取付ベース２３が固定された状態で装置本体７３を振動させると、上流側と下流側の共振ばねロッド３５，３６の端部が共に共振し、共振ウエイト４が大きく上下方向に振動する。この共振ウエイト４が大きく振動すると、上流側共振ばねロッド３５の上流側と下流側共振ばねロッド３６の下流側とに取付けられている篩網６も大きく振動する。この実施の形態によれば、このように篩網６の上流側と下流側とを大きく振動させるので、篩網６の全体を大きく振動させることができる。しかも、両端が大きく振動するので、中間部に起こる二次振動（点線で示す）も大きくなる。特に、ウレタン網を採用した場合、共振ばねロッド３５，３６の共振による大きな上下振動に追随してウレタン網も二次振動するので、加速度が大きくなって、被処理物が開口に詰まるのを効果的に抑止するとともに、大きな篩い分け効果を得ることができる。
【００４０】
図１０は、図1に示す振動デッキを備えた篩分装置を示す側面図であり、図１１は、図１０に示す篩分装置の正面図である。以下の篩分装置７では、前記第１実施の形態の振動デッキ１を設けている。また、図１０では、振動デッキ１を透視した状態（実線）で示している。
【００４１】
図示する篩分装置７は傾斜式であり、所定幅で形成された複数本の柱状連結部材７１の両側面にフレーム部材７２を固定して装置本体７３が形成されている。装置本体７３の上部には、加振源たるバイブレータ７４が設けられている。このバイブレータ７４は、フレーム部材７２に取付ける取付板７５と、この取付板７５に設けられた起振体７６と、この起振体７６を回転駆動する駆動モータ７７とを備えている。起振体７６は１軸構成であり、両端部に偏心ウエイト（図示略）が設けられている。
【００４２】
また、前記フレーム部材７２の外側には、装置本体７３を支持する支持ばね７８が設けられている。この支持ばね７８によって篩分装置７が架台７９に支持されている。この篩分装置７によれば、バイブレータ７４を駆動することにより偏心ウエイトが装置本体７３を図示する矢印Ｖのように楕円振動させる。
【００４３】
さらに、装置本体７３の上流側上部には被処理物の投入ホッパ８０が設けられ、装置本体７３の下部には、下段網下排出シュート８１と、下段網上排出シュート８２とが設けられている。
【００４４】
そして、前記振動デッキ１が、前記装置本体７３に設けられた複数本の連結部材７１の上部に設けられている。複数本の連結部材７１は、上流側から下流側に向けて下がる階段状に設けられており、これらの連結部材７１の上部に固定部２をボルト（図示略）で固定された各振動デッキ１も、上流側から下流側に向けて所定の段差で下がる階段状に配置されている。また、各振動デッキ１は、下流側端部が、その下流側に設けられた振動デッキ１の上部と少しオーバーラップするように設けられている。これにより、上流側の振動デッキ１上を流れた被処理物が下流側の振動デッキ１の上部に落ちるようにしている。このように被処理物の流れ方向Ｆに複数段の振動デッキ１を配置することにより、被処理物の姿勢を変更させて篩網６との接触回数を増やすことができる。
【００４５】
さらに、図示する篩分装置７は、上下に２段で振動デッキ１が配置されている。この場合、上段では比較的大きな被処理物を篩い分け、下段では上段で篩い分けた被処理物をさらに細かく篩い分けることができる。この例の場合、被処理物を、上段の振動デッキ１の網上、下段の振動デッキ１の網上、網下、の３種類の大きさに篩い分けることができる。
【００４６】
このように、この実施の形態の篩分装置７では、装置本体７３の被処理物流れ方向Ｆに、上段には４つの振動デッキ１が配置され、下段には３つの振動デッキ１が配置され、これらの振動デッキ１により、複数のスクリーンデッキが形成されている。なお、最投入側の振動デッキ１の上流側には、被処理物の落下を防止する投入側シュート８３が設けられている。
【００４７】
また、これらの振動デッキ１は、共振ばねロッド３と共振ウエイト４とで共振させる振動デッキ１に篩網６を設ける構成であるため、振動体の重量を抑えることができ、小さい加振力、すなわち小さい動力で大きな振幅を発生させることができる。この篩分装置７における共振ばねロッド３を共振させる原理は、いわゆる「不減衰２自由度系」の振動モデルとして考えることができ、篩分装置７を支持する支持ばね７８のばね常数と、篩分装置７の全体重量と、振動デッキ１の共振ばねロッド３のばね常数と、共振ウエイト４の重量との設定により、装置本体７３の振動に対する篩網６の振幅調整ができる。
【００４８】
しかも、このように複数の振動デッキ１を設ける場合、前記したように共振ばねロッド３のばね常数と共振ウエイト４の重量とで各篩網６の振幅を調整することができるので、例えば、投入側の振幅を大きくして排出側の振幅を小さくしたり、上段の振幅を大きくして下段の振幅を小さくしたり、上流側から下流側に向けて除々に振幅を小さくしたりすることが任意に可能である。すなわち、従来は装置全体を同じ振幅で振動させて全ての篩網６を同じ振幅で振動させていたが、前記篩分装置７によれば、篩網６の目開きに適した振幅となるように、前記した共振ウエイト４の重量を変更したり、共振ばねロッド３のバネ常数を調整することで振幅を任意に調整することができるので、被処理物に応じて篩網６の目開きを変更して振動振幅を異ならせることができる。
【００４９】
したがって、前記プラスチックや木片、土砂、コンクリート等、かさ比重差が大きな物が混ざった建築廃棄物のシュレッダーダスト等の被処理物でも、大きい物は大きな振幅で付着物等を落として篩い分けることができ、小さい物は小さい振幅で篩網６との接触時間を増やして効率良く篩い分けることができる。その上、この実施の形態では、装置本体７３を支持する支持ばね７８のばね常数と、装置本体７３の重量と、共振ばねロッド３のばね常数と、共振ウエイト４の重量との条件を設定することにより、バイブレータ７４の起振力で振動デッキ１の共振ばねロッド３を共振させて篩網６を振動させた状態でも装置本体７３がほぼ停止した状態にすることができる。このような条件にすれば、装置本体７３の強度を抑えて軽量化することができるとともに、架台７９に伝わる振動を抑えて、設備費用の削減を図ることができる。
【００５０】
以上のように構成された篩分装置７によれば、バイブレータ７４で振動デッキ１の共振ばねロッド３を共振させて篩網６を大きく振動させた状態で投入ホッパ８０から被処理物を投入することにより、被処理物は上段の振動デッキ１の篩網６によって網上と網下とに分けられる。この時、篩網６を大きく振動させるので、被処理物が篩網６に詰まったり固着したりするのを抑止して、安定して篩い分けることができる。しかも、前記したように篩網６の振幅は共振ばねロッド３のばね常数と共振ウエイト４の重量とで調整できるので、被処理物に応じて篩網６の振幅を容易に調整することができる。
【００５１】
したがって、例えば、比重差が大きな被処理物であっても投入部で大きな振幅で軽い被処理物の篩い分けを確実に行うことができ、しかも、被処理物に適した篩い分けができるように各振動デッキ１の振幅を調整して大幅な篩分効率の向上を図ることができる。また、篩網６の面に二次振動を発生させることができるので、被処理物の付着や固着を抑えることができる。この点は、ウレタン網の場合により効果的である。
【００５２】
図１２は、図８に示す振動デッキ１０２を備えた篩分装置を示す側面図である。この図でも、振動デッキ１０２を透視した状態（実線）で示している。
【００５３】
図示する篩分装置９は、僅かに傾斜させた水平式であり、連結部材９１の両側部にフレーム部材９２を固定して装置本体９３が形成されている。装置本体９３の上部にバイブレータ９４が設けられている。このバイブレータ９４は、フレーム部材９２取付けられる取付板９５と、この取付板９５に設けられた起振体９６とを備えている。この起振体９６は、２軸構成であり、両端部に偏心ウエイト（図示略）が互いに相反する向きに設けられている。この起振体９６は、２軸を逆回転させることにより、偏心ウエイトの相反する方向では加振力を打消し合い、同一方向を向く時に装置本体９３を図示する矢印Ｖのように直線振動させる。この装置本体９３も、支持ばね９８によって支持されている。
【００５４】
そして、この実施の形態では、前記振動デッキ１０２が、装置本体９３の上流側から階段状に設けられている。この例では、装置本体９３の上流側に設けられた投入デッキ９７の下流側に４段の振動デッキ１０２が設けられている。これらの振動デッキ１０２も、固定部２が連結部材９１にボルト２２（図８）で固定されている。
【００５５】
この実施の形態の篩分装置９によれば、装置本体９３を直線振動させるので、前記振動デッキ１０２を設けることにより、連結部材９１の上流側と下流側とで共振ばねロッド３５，３６が振動して篩網６を大きく振動させて目詰まり等を抑止するとともに、篩網６の全面を大きく振動させて被処理物を効率良く篩い分けることができる。
【００５６】
この実施の形態では振動デッキ１０２を設けた場合を説明したが、他の振動デッキ１，１０１等を設けてもよく、被処理物の性状や篩網６の目開き等に応じて好ましい振動デッキを採用すればよい。
【００５７】
以上のように、前記篩分装置７，９によれば、篩網６を支持する共振ばねロッド３と共振ウエイト４とを共振させるための加振力と共振振幅とを、共振ばねロッド３のばね常数と共振ウエイト４の重量とで容易に調整することができるので、篩い分け条件に最適な振幅と振動数とに各篩網６を調整することが容易にできる。また、共振ばねロッド３の共振を利用して篩網６を大きく振動させるので、小さい動力で大きな振幅を得ることができる。さらに、篩網６を最適な加振振動数・振幅で一次振動させながら、篩網６の網面をそれ自身で二次振動させることができるので、被処理物が篩網６に付着したり固着、目刺さりすること安定して抑止することができる。
【００５８】
また、篩網６を共振ばねロッド３と共振ウエイト４とで支持する構造の重量が軽い振動デッキの共振で振動させるので、前記装置本体７３，９３を支持する支持ばね７８，９８のばね常数と、装置本体７３，９３の重量と、共振ばねロッド３のばね常数と、共振ウエイト４の重量との条件設定によって運転時に大きな駆動力を必要としないようにでき、起動時の必要動力を備えた篩分装置であれば、装置本体７３，９３の強度を抑えて動力を小さくすることができる。
【００５９】
このように、一つの加振源となる装置本体に一つ又は複数の振動デッキ１，１０１，１０２を設け、それぞれの振動デッキ１，１０１，１０２の篩網６の目開きに適した振幅にそれぞれ任意に調整することができるので、篩分装置の篩い分け効率を大幅に向上させることができる。また、一つの加振源となる装置本体に一つ又は複数の振動デッキ１，１０１，１０２を設け、篩網６の振幅を保ちつつ装置本体の振幅が小さくなる条件を選択することにより、篩分装置から基礎への振動伝達を小さくすることができる。
【００６０】
なお、前記実施の形態では、第１実施の形態の振動デッキ１を篩分装置７に設け、第３実施の形態の振動デッキ１０２を篩分装置９に設けた例を説明したが、前記振動デッキ１，１０１，１０２は他の構成であってもよい。また、前記篩分装置７，９も、１軸式と二軸式に限定されるものではなく、振動デッキの共振によって篩網６を所望の振幅で振動させることができる篩分装置であれば、形式は前記実施の形態に限定されるものではなく、他の形式であってもよい。
【００６１】
さらに、前述した実施の形態は一例を示しており、本発明の要旨を損なわない範囲での種々の変更は可能であり、本発明は前述した実施の形態に限定されるものではない。
【産業上の利用可能性】
【００６２】
本発明に係る振動デッキは、比重差が大きな物が混ざった被処理物や、篩い分けが困難な被処理物を安定して篩い分ける場合に利用できる。
【図面の簡単な説明】
【００６３】
【図１】本発明の第１実施の形態に係る振動デッキの平面図である。
【図２】図１に示す振動デッキのII−II断面図である。
【図３】図１に示す振動デッキのIII−III断面図である。
【図４Ａ】図１に示す振動デッキのIV−IV断面図である。
【図４Ｂ】図４Ａに示すIV−IV断面図の他の例を示す断面図である。
【図５】図２に示す振動デッキの共振状態を模式的に示す側面図である。
【図６】本発明の第２実施の形態に係る振動デッキの断面図である。
【図７】図６に示す振動デッキの共振状態を模式的に示す側面図である。
【図８】本発明の第３実施の形態に係る振動デッキの断面図である。
【図９】図８に示す振動デッキの共振状態を模式的に示す側面図である。
【図１０】図1に示す振動デッキを備えた篩分装置を示す側面図である。
【図１１】図１０に示す篩分装置の正面図である。
【図１２】図８に示す振動デッキを備えた篩分装置を示す側面図である。
【符号の説明】
【００６４】
１…振動デッキ
２…固定部
３…共振ばねロッド
３５…共振ばねロッド
３６…共振ばねロッド
４…共振ウエイト
５…網取付部
５１…上流側網係止部材
５２…網係止爪
５４…下流側網係止部材
５６…緊張ボルト
５７…網係止爪
６…篩網
６１…取付フック
７…篩分装置
７１…連結部材
７２…フレーム部材
７３…装置本体
７４…バイブレータ
７８…支持ばね
９…篩分装置
９１…連結部材
９２…フレーム部材
９３…装置本体
９４…バイブレータ
９８…支持ばね
１０１…振動デッキ
１０２…振動デッキ
【図１】
2008284468.tif 000003
【図２】
2008284468.tif 000004
【図３】
2008284468.tif 000005
【図４Ａ】
2008284468.tif 000006
【図４Ｂ】
2008284468.tif 000007
【図５】
2008284468.tif 000008
【図６】
2008284468.tif 000009
【図７】
2008284468.tif 000010
【図８】
2008284468.tif 000011
【図９】
2008284468.tif 000012
【図１０】
2008284468.tif 000013
【図１１】
2008284468.tif 000014
【図１２】
2008284468.tif 000015